(57)【要約】      （修正有）【課題】新規な構造を有する、コンパクトで軽量、シンプルなドア強制開放用具を提供する。【解決手段】ドア１とドア枠２の隙間に差し入れるために、並列に配置された押し上げ先端部３と基部先端部４とを備え、該先端部４は、基端部５の先端に配置されており、該基端部５のほぼ中心部には配置された函状支持体７が設けられ、他方の押し上げ先端部３は、その函状支持体７を中心に回転自在に設けたねじ切りされた柱状体に内部ねじ切り部が回転自在に係合された台座部に固定されており、該柱状体の頭部に設けたスパナ係合形態９をスパナ１５で回転させることにより、柱状体のねじ切りと台座部材のねじ切りの間に螺旋運動により、台座部材が持ち上げられ、それと同時に、それに固定された先端部３が持ち上がり、ドア１とドア枠２の間の隙間が強制的に広げられる。【選択図】図１
2007162324.tif 000002
【特許請求の範囲】
【請求項１】
地震発生時のような緊急時に開かなくなったドア等を強制的に開ける用具において、
ドア１とドア枠２の隙間に差し入れるために、並列に配置された押し上げ先端部３と基部板先端部４とを備え、
該先端部４は、基部板５の先端に配置されており、
押し上げ先端部３は、回転自在に設けたねじ切りされた柱状体８に内部ねじ切り部が回転自在に螺合された台座部材１０に固定されており、
該柱状体８を回転させると、柱状体８のねじ切りと台座部材１０の内部ねじ切りの間の螺旋運動により、台座部材１０が持ち上げられ、それと同時に、それに固定された先端部３が持ち上がり、ドア１とドア枠２の間の隙間が強制的に広げられ、ドアを強制開放することを特徴とする緊急時のドア強制開放用具。
【請求項２】
該ドア強制開放用具は、ステンレス鋼で製作されていることを特徴とする請求項１に記載の緊急時のドア強制開放用具。
【請求項３】
該基部板の底面には両面テープが設けられ、本用具の使用の際にドア面２に容易に固着することができることを特徴とする請求項１或いは２に記載の緊急時のドア強制開放用具。
【発明の詳細な説明】
【技術分野】
【０００１】
本発明は、大地震発生、水害の場合にドアなどが開かなくなることが生じた場合に、その水圧とか、ドア枠の変形により、開かなくなったドアを強制的に開放し、緊急避難が容易にできるようにする用具に関する。即ち、本発明は、特に、新規な構造と機構を有する、ドア強制開放用具に関する。
【背景技術】
【０００２】
従来、地震等の緊急時に脱出するための用具は、日本家屋が木製であるために配慮されていなく、一般的に提供されていなかった。近年のように、コンクリート家屋、サッシ構造の家屋が多くなったため、災害時に水圧とか、ドア枠の変形により、ドア等が開けられなくなった場合を配慮して、脱出用具は自己を助けるためには、必須で且つ必要となっている。
そのような場合に、玄関ドア等を強制的に空けるものとして、車両で用いられていた機構を利用した特許文献１に開示されるハンドル機構によるものが提案されている。
【０００３】
然しながら、これでは、個人の住宅に用いるには大げさ過ぎ、コスト高ととともに操作し難いものとなる。そのために、マンションなどの部屋や個人宅に備えることができ、使用するに際して、容易に使用できるドア強制開放用具を発明したものである。
【特許文献１】特開２０００−１４５２４３号公報
【発明の開示】
【発明が解決しようとする課題】
【０００４】
解決しようとする課題は、マンションの部屋、事務所、個人宅などに備えることができ、使用するに際して、容易に使用できるドア強制開放用具を提供することである。すなわち、コスト面でも使用容易性でも有用なドア強制開放用具を提供することが課題である。
【課題を解決するための手段】
【０００５】
本発明は、以上のような問題点を解決すべく鋭意研究を重ねた結果、次のような解決手段により、大地震発生の際でも、水害時でも、容易に逃げ道を確保できるドア強制開放用具を提供する。
(１) 地震発生時のような緊急時に開かなくなったドア等を強制的に開ける用具において、
ドア１とドア枠２の隙間に差し入れるために、並列に配置された押し上げ先端部３と基部板先端部４とを備え、
該先端部４は、基部板５の先端に配置されており、
該基部板５のほぼ中心部には配置された支持体７が設けられ、
他方の押し上げ先端部３は、その支持体７の中心に回転自在に設けたねじ切りされた柱状体８に内部ねじ切り部が回転自在に係合された台座部材１０に固定されており、該柱状体８の頭部に設けたスパナ係合形態、通常六角形９をスパナ１５で回転させることにより、柱状体８のねじ切りと台座部材１０のねじ切りの間の螺旋運動により、台座部材１０が持ち上げられ、それと同時に、それに固定された先端部３が持ち上がり、ドアとドア枠の間の隙間が強制的に広げられ、ドアを強制開放することを特徴とする緊急時のドア強制開放用具である。
(２)ステンレス鋼で製作されていることを特徴とするドア強制開放用具
【０００６】
(３) 該基部板の底面には両面テープが設けられ、本用具の使用の際にドア面に容易に固着することができることを特徴とする緊急時のドア強制開放用具である。
【発明の効果】
【０００７】
本発明のドア強制開放用具は、以上のような構成のドア強制開放用具を提供する。これは、普段は、メンテナンス不要で、ドア付近、玄関とかに備えておき、いざという時に、すぐに使用できる低コストのものである。更に、それは、十分な信頼性と、誰でも容易に扱うことができるものを提供できたものである。
【０００８】
更に、本発明のドア強制開放用具により、次のような技術的効果が得られた。第一に、「備えあれば、憂いなし」という言葉があるように、「二次災害」を少しでも防ぐようにできる。第二に、ドアとか玄関の傍に、いつも、備えておける程度の大きさになっていることである。即ち、コンパクト、軽量、シンプルな用具である。
【発明を実施するための最良の形態】
【０００９】
本発明のドア強制開放用具は、大地震や水害などにより、開かなくなったドアの開放のための用具である。そのために、常に、使用可能な状態になっていなければならない。それには、錆びなどが出て、使用不可になることがないように、ステンレス製にした。そして、使用の際には、故障のおそれがあってはならないので、構成、構造は、できるだけシンプルにした。
【００１０】
即ち、本発明のドア強制開放用具は、大地震発生時や水害時のような緊急時に開かなくなったドア等を強制的に開ける用具である。
そして、図１は、本発明のドア強制開放用具の使用態様を示す斜視図である。
先ず、本発明のドア強制開放用具を、ドア１とドア枠２の隙間から、その先端部３，４を一体にして差し込む。その時、先端部４を有する基部板５は、ドア１の面に、その底面を固定する。ここで、例えば、基部板５の底面には、両面接着テープ（図示せず）を設けておき、その接着面が基部板面に接着できるようにすると、使用の際に、更に操作が容易になる。
【００１１】
即ち、先端部３と基部板先端部４は、平行で且つ、同じレベルに配置されているために、図示のように、一緒になって、即ち、一体となって、ドア１とドア枠２の隙間に差し入れられる。そして、基部板５の底面に両面テープなどを設けてあると、ドア面に当てただけに、容易に、ドア強制開放用具は、ドア面に固着され、その後の操作が、より容易になる。
次に、六角頭部９をスパナ１５を取り付け、時計回りに回すことにより、ボルト６を時計回りに回転させ、それに螺合されている台座部材１０を介して、押し上げ先端部３が徐々に上げられてくると、てこの原理により、大きな力がかかり、ドア１とドア枠２との隙間を大きな力により広げていく。即ち、徐々に動いて上がっていく先端部３と基部板先端部４とが徐々に離れていくと、ドアの隙間が広がっていき、ドアをこじ開ける隙間を、そして、脱出できる隙間を作ることができる。地震などにより、大きな歪みがかかり、容易に開けることができない場合には、２つのドア強制開放用具を用いることができ、それにより、容易に、変形したドア１を開けることができる。
【００１２】
次に、以下、図２〜４を参照して、本発明のドア強制開放用具の構造を説明する。マンションのドアを開放する場合を例にして説明する。
図２は、本発明のドア強制開放用具を横から見た断面図である。
ドア１面に固定されるべき基部板先端部４は、図示のように、基部板５の先端に配置されて、ドア面１に固定されて、動かない。一方、台座部材１０に設けた板部材の先端部４は、ねじ切りされた柱状体８が、前記のように、スパナにより回転されるにつれて、台座部材１０の内側にあるねじ切りにより、上下に動くものである。即ち、図示のように、基部板５の上の、ほぼ中心部に函状支持体７が設けられ、それに回転自在に取り付けられた柱状体８が設けられている。そして、そのねじ切り棒８に螺合された台座部材１０は、８の回転により、上下に動き、それにより、先端部３も上下する。即ち、押し上げ先端部３は、その函状支持体７の中心に回転自在に設けたねじ切りされた柱状体８に内部ねじ切り部が回転自在に係合された台座部材１０に固定されており、柱状体８の回転により、先端部３は上げられる。従って、柱状体８の頭部に設けたスパナ係合形態９をスパナ１５で回転させると、柱状体８のねじ切りと台座部材１０のねじ切りの間の螺旋運動により、台座部材１０が持ち上げられ、それと同時に、それに固定された先端部３が持ち上がる。すると、ドア１とドア枠２の間の隙間が強制的に広げられ、ドアを強制開放することができる。
【００１３】
すなわち、地震発生時のような緊急時に開かなくなったドア１等を強制的に開けることができる。
図３は、この用具の台座部材１０と押上げ先端部３と基部板先端部４を上から見た平面図である。即ち、先端部４を有する基部５と、動く、即ち、押し上げられる、即ち、上下する台座部材１０とその先端部３との関係を表す。
最初は、ドア１とドア枠２の隙間に差し入れるために、一体となり（同一レベルのものとして）配置された押し上げ先端部３と基部板先端部４がある。図３に示すように、先端部３と４は、同一レベルにあり、ボルト６を回転すると、台座１０は、徐々に上げられ（図2は上下逆）、先端部３は、先端部４（即ち、板状基部５）から離れ、３と４は、離れていき、ドア１とドア枠２の間に隙間ができ、それが大きくなっていく。
そして、函状支持体７と柱状体８とその頭部の六角ボルト９との関係も示される。先端部３は、台座部材１０に、図２に示されるように、最初の先端部４と同じレベルになるように、曲げられて形成されている。即ち、最初の状態では、先端部３に相当する位置には、基部板５はないが、その他の領域には、基部板５があり、板状部材１１とは、重ね合わすことができない。
【００１４】
図４は、この動く、即ち、上下する板状の先端部３と台座部材１０の関係を示すその平面図と側面図である。
押し上げ先端部３は、台座部材１０の先端部の相当する位置に溶接、配置されており、少しレベルが下がった位置にされている（図では上下逆に示される）。その先端部３は、図示のように、挿入し易いように、先端断面がテーパーにすると、好適である。そして、台座部材１０は、図示のように（図２、３参照）、その函状支持体７のほぼ中心に回転自在に設けたねじ切りされた柱状体８に内部ねじ切り部が回転自在に係合されている（螺合されている）。
【００１５】
前記に説明した地震発生時に、建物が歪むと、ドア枠が変形し、ドアが開かなくなり、また、ドア枠が菱形に変形したり、ドアが変形したり、建物が倒壊の一歩手前になります。即ち、通常のドアは、３ｍｍ以上変形するとか、傾くと、人の力では開かなくなる。また、水害の際には、ドアの外側に、５０ｃｍ程度の水深の水でも溜まると、ドアは人の力では開かなくなります。すると、建物から脱出することができなくなる危険があります。そのような緊急時に開かなくなったドア等を強制的に開ける用具を備えておく必要があります。そのためのドア強制開放用具を提案したものです。
【産業上の利用可能性】
【００１６】
産業上の利用可能性は、大地震や水害などで開かなくなったドアを容易に開けて、開放し、逃げ道を確保できる緊急避難用具が提供することである。
更に、本発明のドア強制開放用具により、次のような産業上の利用可能性がある。即ち、マンション、ホテル、事務所、その他に対して、玄関ドア、更には、外開き戸、スチールドアなどを、以上のような緊急時に脱出口を確保する用具を提供する。更には、コンパクトで、軽量で、構造がシンプルなドア強制開放用具を提供できたものである。
また、本発明のドア強制開放用具は、故障の心配はまったくなく、操作が容易に理解でき、主婦でも誰でも、操作が容易な用具を提供できた。
【図面の簡単な説明】
【００１７】
【図１】本発明のドア強制開放用具の使用態様の１つを示す斜視図である。
【図２】本発明のドア強制開放用具の側面からの断面図を示す。
【図３】本発明のドア強制開放用具の上下する部材３と１０と柱状部材８との関係を説明するための平面図を示す。
【図４】本発明のドア強制開放用具の上下する板状先端部３と台座部材１０を説明するためのその平面図と側面図を示す。
【符号の説明】
【００１８】
１    ドア、或いはドア面
２    ドア枠
３    押し上げ先端部
４    基部板先端部
５    基部板
６    ボルト状柱状体
７    函状支持体
８    ねじ山部
９    ホルト頭部（六角形）
１０  台座部材
１１  板状部材
１２  回転底部
１５  スパナ
【図１】
2007162324.tif 000003
【図２】
2007162324.tif 000004
【図３】
2007162324.tif 000005
【図４】
2007162324.tif 000006